(57)【要約】【課題】被験者の体の一部を十分確実に保持する保持装置を提供する。【解決手段】被験者８の体の一部における体表の形状に合わせて形成された曲面１６ａを備え、その曲面１６ａ側に被験者８の皮膚表面に対して粘着性を有する粘着層２０を備えた保持具１６と、一方の端部に保持具１６が取り付けられた長手状のアーム部材１８と、アーム部材１８における、保持具１６が取り付けられた側の端部とは逆側の端部に取り付けられた、アーム部材１８を寝台１２に固定するための固定具１４とを、備えたものであることから、例えば乳房８ｂのように容易に変形する部位を対象とする治療においても、その部位に保持具１６を粘着層２０により貼り付けることで、前記部位を十分確実に保持できる。すなわち、被験者８の体の一部を十分確実に保持する保持装置１０を提供することができる。【選択図】図２
2016123666.tif 000002
【特許請求の範囲】
【請求項１】
被験者の体の一部における体表の形状に合わせて形成された曲面を備え、該曲面側に前記被験者の皮膚表面に対して粘着性を有する粘着層を備えた保持具と、
一方の端部に前記保持具が取り付けられた長手状のアーム部材と、
前記アーム部材における、前記保持具が取り付けられた側の端部とは逆側の端部に取り付けられた、前記アーム部材を被固定物に固定するための固定具と
を、備えたことを特徴とする保持装置。
【請求項２】
前記保持具は、前記被験者の少なくとも一方の乳房を含む体表の形状に合わせてカップ状に形成された前記曲面を備え、該曲面側に前記粘着層を備えた乳房保持具である
請求項１に記載の保持装置。
【請求項３】
前記固定具は、前記被験者が載せられる平板部を備えた寝台に固定されるものである
請求項１又は２に記載の保持装置。
【請求項４】
前記アーム部材は、前記固定具に対する前記保持具の３次元方向の位置及び角度の少なくとも一方を調整できるものである
請求項１から３の何れか１項に記載の保持装置。
【請求項５】
前記保持具は、厚み方向に貫通する複数の孔部を備えたものである
請求項１から４の何れか１項に記載の保持装置。
【請求項６】
前記保持具は、前記アーム部材に対して着脱可能とされたものであり、
前記体の一部に対応する形状の複数の大きさに形成された複数種類の保持具から、前記被験者の体の一部における体表の形状に合った保持具が選択され、前記アーム部材に取り付けられて用いられるものである
請求項１から５の何れか１項に記載の保持装置。
【発明の詳細な説明】
【技術分野】
【０００１】
本発明は、被験者の体の一部を保持する保持装置に関する。
【背景技術】
【０００２】
例えば、医療用装置によりＸ線撮影或いは放射線治療等を行う際に、被験者の身体を寝台に固定する装置が知られている。例えば、特許文献１に記載された医療用装置の被験者固定装置がその一例である。この技術によれば、被験者を載せる寝台天板に被験者を囲む袋体を備え、その袋体は硬い丈夫な材料で形成された表皮と、その内側に伸縮性のある柔らかい材料で形成された拡張室から構成されており、その拡張室にコンプレッサによって気体又は液体を注入することで、被験者を袋体で囲んだ状態で寝台天板に確実に固定することができるとされている。
【先行技術文献】
【特許文献】
【０００３】
【特許文献１】特開２００７−３０１２１７号公報
【発明の概要】
【発明が解決しようとする課題】
【０００４】
しかし、前記従来の技術では、治療の対象となる部位によっては、被験者の体におけるその部位を必ずしも十分確実に保持できない場合があった。例えば、乳房に対する治療を考えた場合、乳房は被験者の姿勢等に応じて重力により容易に変形するため、前記従来の技術では、治療に際して乳房の形状を維持しつつ十分確実に保持することが困難であった。更に、時間を置いて行われる複数回の治療において、治療の対象となる乳房等の部位を略同じ形状に保つことが要求される場合があるが、前記従来の技術では、前記部位の形状が治療毎に変化してしまうおそれがあった。すなわち、被験者の体の一部を十分確実に保持する保持装置は、未だ開発されていないのが現状である。
【０００５】
本発明は、以上の事情を背景として為されたものであり、その目的とするところは、被験者の体の一部を十分確実に保持する保持装置を提供することにある。
【課題を解決するための手段】
【０００６】
斯かる目的を達成するために、本第１発明の要旨とするところは、被験者の体の一部における体表の形状に合わせて形成された曲面を備え、その曲面側に前記被験者の皮膚表面に対して粘着性を有する粘着層を備えた保持具と、一方の端部に前記保持具が取り付けられた長手状のアーム部材と、前記アーム部材における、前記保持具が取り付けられた側の端部とは逆側の端部に取り付けられた、前記アーム部材を被固定物に固定するための固定具とを、備えたことを特徴とする保持装置である。
【発明の効果】
【０００７】
前記第１発明によれば、被験者の体の一部における体表の形状に合わせて形成された曲面を備え、その曲面側に前記被験者の皮膚表面に対して粘着性を有する粘着層を備えた保持具と、一方の端部に前記保持具が取り付けられた長手状のアーム部材と、前記アーム部材における、前記保持具が取り付けられた側の端部とは逆側の端部に取り付けられた、前記アーム部材を被固定物に固定するための固定具とを、備えたものであることから、例えば乳房のように容易に変形する部位を対象とする治療においても、その部位に前記保持具を前記粘着層により貼り付けることで、前記部位を十分確実に保持できる。すなわち、被験者の体の一部を十分確実に保持する保持装置を提供することができる。
【０００８】
前記第１発明に従属する本第２発明の要旨とするところは、前記保持具は、前記被験者の少なくとも一方の乳房を含む体表の形状に合わせてカップ状に形成された前記曲面を備え、その曲面側に前記粘着層を備えた乳房保持具である。このようにすれば、被験者の姿勢等に応じて重力により容易に変形する乳房を対象とする治療に際して、その乳房を十分確実に保持できる。
【０００９】
前記第１発明又は前記第２発明に従属する本第３発明の要旨とするところは、前記固定具は、前記被験者が載せられる平板部を備えた寝台に固定されるものである。このようにすれば、斯かる寝台に前記被験者を載せた状態で行う治療に際して、その被験者の体の一部を十分確実に保持できる。
【００１０】
前記第１発明から前記第３発明の何れかに従属する本第４発明の要旨とするところは、前記アーム部材は、前記固定具に対する前記保持具の３次元方向の位置及び角度の少なくとも一方を調整できるものである。このようにすれば、前記被固定物に対する前記保持具の位置及び角度を適宜定めることができる。
【００１１】
前記第１発明から前記第４発明の何れかに従属する本第５発明の要旨とするところは、前記保持具は、厚み方向に貫通する複数の孔部を備えたものである。このようにすれば、前記被験者の体の一部に前記保持具を取り付けた状態で、例えば注射器等によりその部位における生体組織を採取したり、その部位に放射線治療のためのマーカを注入する等の処置を行うことができる。
【００１２】
前記第１発明から前記第５発明の何れかに従属する本第６発明の要旨とするところは、前記保持具は、前記アーム部材に対して着脱可能とされたものであり、前記体の一部に対応する形状の複数の大きさに形成された複数種類の保持具から、前記被験者の体の一部における体表の形状に合った保持具が選択され、前記アーム部材に取り付けられて用いられるものである。このようにすれば、被験者の体の一部を十分確実に保持する、低コストで実用的な保持装置を提供することができる。
【図面の簡単な説明】
【００１３】
【図１】本発明の実施例である保持装置が被固定物に取り付けられた様子を説明する平面図である。
【図２】本発明の実施例である保持装置の構成の一例を示す斜視図である。
【図３】図２の保持装置に備えられた保持具の構成を例示する図であり、保持具を上部側から視た平面図である。
【図４】図３のIV−IV視断面図である。
【図５】図３及び図４に示す保持具とは態様の異なる保持具がアーム部材に取り付けられた構成を例示する斜視図である。
【図６】図５に示すアーム部材に設けられた先端部の構成を詳しく説明する正面図である。
【図７】図１の被固定物に対する固定具の他の取付態様を例示する図である。
【図８】本実施例の保持装置におけるアーム部材に対する保持具の他の取付態様を例示する図である。
【図９】本実施例の保持装置に備えられるアーム部材の他の態様を例示する図である。
【図１０】本実施例の保持装置に備えられる保持具の他の態様を例示する図であり、その保持具を上部側から視た平面図である。
【図１１】図１０の保持具を矢印XIで示す方向に視た側面図である。
【図１２】本実施例の保持装置に備えられる、複数の孔部を備えた保持具を例示する図であり、その保持具を上部側から視た平面図である。
【図１３】図１２の保持具を矢印XIIIで示す方向に視た側面図である。
【図１４】本実施例の保持装置に備えられる、網目状に構成された保持具を例示する図であり、その保持具を上部側から視た平面図である。
【図１５】図１４の保持具を矢印XVで示す方向に視た側面図である。
【図１６】図１０〜図１５に示す保持具を備えた保持装置が被固定物に取り付けられた様子を概略的に示す側面図である。
【図１７】図１６に示す被固定物の一部及び保持装置を、矢印XVIIで示す方向に視た平面図である。
【図１８】本実施例の保持装置に備えられる固定具の他の態様を例示する図である。
【図１９】本実施例の保持装置に備えられる固定具の更に別の態様を例示する図である。
【図２０】本実施例の保持装置の効果を説明するため、被験者の体の一部に保持具が取り付けられた様子を概略的に示す断面図である。
【図２１】保持具に複数の孔部が設けられた構成の効果を説明するため、被験者の体の一部に保持具が取り付けられた様子を概略的に示す断面図である。
【発明を実施するための形態】
【００１４】
以下、本発明の好適な実施例を図面に基づいて詳細に説明する。以下の説明に用いる図面において、各部の寸法比等は必ずしも正確には描かれていない。実施例相互に共通する構成については、同一の符号を付してその説明を省略する。
【実施例】
【００１５】
図１は、本発明の好適な実施例である保持装置１０の構成の一例を説明する図である。本実施例の保持装置１０は、例えば、図示しない医療用装置により粒子線治療、Ｘ線治療、γ線治療、電子線治療、ＣＴ撮影、ＭＲＩ撮影等の治療を行う際に、被験者（患者）８の体の一部を保持する装置である。図１に示すように、前記保持装置１０は、好適には、被固定物としての寝台１２に取り付けられて用いられる。例えば、前記被験者８が前記寝台１２における平板部１２ａに載せられて仰臥姿勢とされた状態において、前記寝台１２に対して前記被験者８の体の一部を保持する。前記寝台１２は、好適には、前記治療に際して図示しない支持装置により支持される。更に好適には、図示しないストレッチャ等により搬送可能とされたものである。
【００１６】
図２は、前記保持装置１０の構成の一例を示す斜視図である。この図２に示すように、前記保持装置１０は、固定具１４と、保持具１６と、アーム部材１８とを、備えている。前記固定具１４は、前記保持装置１０が取り付けられる対象となる被固定物に固定される。好適には、被固定物としての前記寝台１２に固定される。例えば、前記寝台１２に備えられた後述する取付部１２ｂに、ねじ等の締結具により固定される。この固定の形態については、図７、図１８、及び図１９等を参照して後述するように他の態様であってもよい。前記固定具１４は、好適には、前記保持装置１０が取り付けられる対象となる被固定物に対して着脱可能とされたものである。
【００１７】
前記保持装置１０において、好適には、前記固定具１４、前記保持具１６、及び前記アーム部材１８の構成の主要部は、合成樹脂材料である。前記保持具１６は、好適には、アクリル樹脂、ＡＢＳ樹脂、ポリ乳酸樹脂等の合成樹脂材料から形成されたものである。前記保持具１６は、或いは、グラスファイバ、ポリエステル繊維、或いは木綿等の繊維による布状の部材に硬化剤が含浸させられ、前記体の一部における体表の形状に合わせて硬化させられたものであってもよい。
【００１８】
図３及び図４は、前記保持装置１０に備えられた前記保持具１６の構成を例示する図であり、図３はその保持具１６を上部側から視た平面図、図４は図３のIV−IV視断面図である。前記保持具１６は、前記被験者８の体の一部における体表の形状に合わせて形成された曲面１６ａを備えている。その曲面１６ａ側に、前記被験者８の皮膚表面に対して粘着性を有する粘着層２０を備えている。この粘着層２０は、好適には、前記曲面１６ａを被覆するように設けられている。
【００１９】
前記保持具１６は、好適には、前記被験者８の少なくとも一方の乳房８ｂを含む体表の形状に合わせてカップ状に形成された内面としての前記曲面１６ａを備え、その曲面１６ａ側に前記粘着層２０を備えた乳房保持具である。前記保持具１６は、少なくとも前記被験者８における乳頭（乳首）を含む前記乳房８ｂの一部又は全部を被覆する形状とされている。すなわち、前記保持具１６は、好適には、図３及び図４に示すように、前記被験者８における乳頭が収まる空間１６ｎと、その被験者８における乳房８ｂの一部又は全部が収まる空間１６ｂとを、備えている。前記保持具１６は、更に好適には、前記被験者８における前記乳房８ｂ、胸骨、鎖骨、及び肋骨を含む領域の一部又は全部を被覆する形状とされている。
【００２０】
図４に示すように、前記保持具１６は、前記乳房８ｂを含む体表の形状に合わせて形成された内面である前記曲面１６ａ側に、前記被験者８の皮膚表面に対して粘着性を有する粘着層２０を備えている。すなわち、前記保持具１６が前記被験者８の乳房８ｂに取り付けられた際、その乳房８ｂに接触する部位の全面又は一部表面に、前記乳房８ｂの皮膚表面に対して粘着性を有する粘着層２０を備えている。この粘着層２０は、好適には、ウレタンゲル又はシリコーンゲル等の粘着性を有する樹脂材料である。前記粘着層２０にアクリル系、シリコーン系、ウレタン系、ゴム系の粘着剤が用いられてもよい。前記粘着層２０にアクリル系、シリコーン系、ウレタン系、スチレン系エラストマ等の粘着性を有する合成樹脂材料が用いられてもよい。図４に示すように、好適には、前記保持具１６において、前記被験者８における乳頭が収まる空間１６ｎの内周面、及び前記被験者８における乳房８ｂの一部又は全部が収まる空間１６ｂの内周面を被覆して前記粘着層２０が設けられている。
【００２１】
前記保持具１６は、好適には、前記被験者８の体の一部に対応する形状の複数の大きさに形成された複数種類の保持具１６から、前記被験者８の体の一部における体表の形状に合った保持具１６が選択され、前記アーム部材１８に取り付けられて用いられるものである。すなわち、前記体の一部における体表の形状として想定される複数の態様それぞれに対応して、各形状に合わせて形成された曲面１６ａを備えた複数種類の前記保持具１６が予め用意される。前記被験者８の治療に際して、それら複数種類の保持具１６のうちから、その被験者８の体の一部における体表の形状に合った保持具１６が選択されて用いられる。本実施例においては、前記乳房８ｂの形状（所謂カップの種別、トップとアンダーとの差等）に対応する大きさ及び形状に形成された複数種類の保持具１６から、前記被験者８の乳房８ｂにおける体表の形状に合った保持具１６が適宜選択され、前記アーム部材１８に取り付けられて用いられる。
【００２２】
図２に示すように、前記アーム部材１８は、一方の端部に前記保持具１６が取り付けられ、他方の端部に前記固定具１４が取り付けられた長手状の部材である。前記保持具１６は、その保持具１６に備えられた取付部１６ｓ（図４等を参照）において、前記アーム部材１８における先端部１８ｐの一部に嵌合されること等により、前記アーム部材１８に取り付けられる。前記保持具１６は、好適には、前記アーム部材１８に着脱可能とされたものである。前記固定具１４は、前記アーム部材１８における、前記先端部１８ｐとは逆側の端部である基端部１８ｂに取り付けられる。
【００２３】
図１に示すように、前記寝台１２は、前記固定具１４が取り付けられる取付部１２ｂを備えている。好適には、前記寝台１２に仰臥位で載せられる前記被験者８の左右方向に、一対又は複数対の前記取付部１２ｂが設けられている。各取付部１２ｂには、前記寝台１２に仰臥位で載せられる前記被験者８の頭足方向に、前記固定具１４が選択的に取り付けられる複数の取付位置が配設されている。例えば、前記固定具１４の取り付けに係るおねじがねじ込まれる複数のねじ穴が略等間隔に配設されている。前記固定具１４が、それら何れかの取付位置に取り付けられることで、前記アーム部材１８における基端部１８ｂ（図２等を参照）の、前記寝台１２に対する前記頭足方向すなわち図１にｘ軸で示す方向の位置が定められる。
【００２４】
前記アーム部材１８は、例えば図２に示すように多関節構造とされることで、前記先端部１８ｐに取り付けられた前記保持具１６の、前記基端部１８ｂに対する３次元方向の位置及び角度の少なくとも一方を調整できるように構成されている。好適には、少なくとも３次元方向の位置を調整できるように構成されている。前記アーム部材１８が斯かる構成とされていることで、前記保持装置１０は、前記固定具１４が被固定物である前記寝台１２に固定された状態において、前記寝台１２に対する前記保持具１６の３次元方向の位置及び角度の少なくとも一方の調整を可能とする。例えば、前記寝台１２に仰臥位で載せられた前記被験者８の頭足方向を基準方向として、前記寝台１２に対する前記保持具１６の３次元方向の位置及び角度の少なくとも一方の調整を可能とする。すなわち、図１に示すように、前記寝台１２に仰臥位で載せられた前記被験者８の頭足方向をｘ軸方向とし、そのｘ軸に垂直を成し且つ相互に直交するｙ軸及びｚ軸を定めた場合、前記寝台１２に対する前記保持具１６のｘ、ｙ、ｚ軸方向の位置及び角度の少なくとも一方の調整を可能とする。
【００２５】
図５は、前記保持具１６とは態様の異なる保持具２６が前記アーム部材１８に取り付けられた構成を例示する斜視図である。図６は、前記アーム部材１８に設けられた、前記先端部１８ｐとは態様の異なる先端部２８の構成を詳しく説明する正面図である。前記保持具２６は、前記被験者８の乳房８ｂの形状に係る情報を例えば公知の３次元スキャナにより取得し、その情報に基づいて各被験者８毎に個別に作成されるものである。例えば、前記情報に基づき、公知の３Ｄプリンタ等により、前記被験者８の乳房８ｂの形状に対応する曲面２６ａを備えた前記保持具２６が作成される。前記曲面２６ａは、前記被験者８における前記乳房８ｂ、胸骨、鎖骨、及び肋骨を含む領域の一部又は全部を被覆する形状とされている。前記保持具２６における前記曲面２６ａ側には、前記被験者８の皮膚表面に対して粘着性を有する前記粘着層２０が設けられている。
【００２６】
図６に示すように、前記先端部２８の内部には、球体２８ｇが嵌め入れられている。その球体２８ｇに対して、前記保持具２６の取付部２６ｓが取り付けられている。斯かる構成により、前記アーム部材１８の先端部２８に対して、前記保持具２６（取付部２６ｓ）を任意の角度に調整できるようになっている。更に、図６に矢印で示すように、前記先端部２８対して前記保持具２６（取付部２６ｓ）の相対回転が可能とされている。すなわち、前記アーム部材１８に対して、前記取付部２６ｓを中心とする前記保持具２６の回転方向の角度が変更可能とされている。図５及び図６に示す先端部２８を備えたアーム部材１８に、図３及び図４を用いて前述した前記保持具１６が取り付けられたものであってもよい。
【００２７】
図７は、前記寝台１２に対する前記固定具１４の他の取付態様を例示する図である。前述した図１に示す構成において、前記固定具１４は、前記寝台１２に設けられた取付部１２ｂに直接取り付けられるものであったが、図７に示す構成においては、前記寝台１２に架橋部２２が取り付けられ、その架橋部２２に前記固定具１４が固定されている。前記架橋部２２は、前記寝台１２に仰臥位で載せられた前記被験者８の左右方向に設けられた一対の前記取付部１２ｂ相互間に架け渡された一対の長手状部材である。前記架橋部２２が、前記取付部１２ｂにおける複数の取付位置の何れかに取り付けられることで、その架橋部２２の前記寝台１２に対する前記頭足方向すなわち図７にｘ軸で示す方向の位置が定められる。前記固定具１４は、前記架橋部２２の長手方向における任意の位置に固定されるようになっている。前記固定具１４が前記架橋部２２の長手方向における所定の位置に取り付けられることで、前記寝台１２に対する前記固定具１４の前記頭足方向に垂直な方向すなわち図７にｙ軸で示す方向の位置が定められる。すなわち、図７に示す構成では、前記固定具１４が前記架橋部２２を介して間接的に前記寝台１２に固定されていることで、前記アーム部材１８における基端部１８ｂの前記寝台１２に対するｘ軸方向及びｙ軸方向（すなわち、平板部１２ａの平面方向）の位置を定めることができる。
【００２８】
図８は、前記アーム部材１８に対する前記保持具２６の他の取付態様を例示する図である。この図８に示す構成において、前記保持具２６は、その取付部２６ｓが前記アーム部材１８の先端部３０に挟まれて固定（挟持）されている。すなわち、前記先端部３０には、前記取付部２６ｓが挿入される間隙が設けられており、その間隙に前記取付部２６ｓが挿入された状態で前記間隙が狭まるようにねじ等の締結具が締結されることにより、前記取付部２６ｓが前記先端部３０に挟まれて固定されている。図８に示す先端部３０を備えたアーム部材１８に、前記保持具１６が取り付けられたものであってもよい。斯かる構成においては、前記保持具１６、２６等を前記アーム部材１８に簡便に取り付けることができる。更に、図８に示す構成によれば、前記取付部２６ｓの上方（取付部２６ｓの軸芯方向における保持具１６、２６等の反対側）には前記先端部３０が位置しないため、前記取付部２６ｓの上方に図示しない医療用装置の照射ガントリ等を配置することができる。これにより、図２等を用いて前述した構成に比べ、前記照射ガントリ等を前記被験者８の治療患部（例えば、乳房８ｂ等）に更に接近させることができ、治療の精度を高めることができる。
【００２９】
図９は、前記保持装置１０に備えられるアーム部材の他の態様を例示する図である。この図９に示す構成において、前記保持装置１０は、多関節構造を有しないアーム部材３２を備えている。すなわち、前記アーム部材３２は、規定の長手形状に一体に形成されている。前記アーム部材３２における一方の端部に前記保持具２６が取り付けられ、他方の端部に前記固定具１４が取り付けられている。図９に示すアーム部材３２に、前記保持具１６が取り付けられたものであってもよい。前記アーム部材３２によれば、前記寝台１２に対する前記保持具１６、２６等の位置固定性を向上させられる。これに加え、前記寝台１２に対する前記保持具１６、２６等及び前記アーム部材１８の取り付けを簡便なものとすることができる。図９に示す構成において、好適には、治療対象となる被験者８における治療患部（例えば、乳房８ｂ等）の形状、病巣（腫瘍）位置、及び治療計画等に合わせ、前記固定具１４、前記保持具１６、２６等、及び前記アーム部材３２が、公知の３Ｄプリンタ等により一体的に形成される。
【００３０】
図１０及び図１１は、前記保持装置１０に備えられる保持具の他の態様を例示する図である。図１０は、保持具３６を上部側から視た平面図、図１１は、前記保持具３６を図１０に矢印XIで示す方向に視た側面図である。図１０及び図１１に示すように、前記保持具３６は、カップ状に形成されたカップ部３６ｃと、平板状に形成された取付部３６ｓとを、備えている。図１０及び図１１においては、半球状のカップ部３６ｃを図示しているが、前記カップ部３６ｃは必ずしも半球状でなくともよく、前記乳房８ｂの形状に合わせて適宜形成される。前記カップ部３６ｃは、前記被験者８の少なくとも一方の乳房８ｂを含む体表の形状に合わせてカップ状に形成された内面としての曲面３６ａを備えている。前記保持具１６のように、前記乳房８ｂにおける乳頭を収容する空間１６ｎ等が設けられたものであってもよい。図１１に破線で示すように、前記保持具３６は、前記曲面３６ａ側に、前記被験者８の皮膚表面に対して粘着性を有する粘着層２０を備えている。前記取付部３６ｓは、前記カップ部３６ｃの側部に設けられている。すなわち、前記カップ部３６ｃにおける下部の開口３６ｏ（曲面２０の端縁）近傍から前記カップ部３６ｃの外側（径方向外側）へ向けて突出するように前記取付部３６ｃが設けられている。換言すれば、前記取付部３６ｓは、前記カップ部３６ｃにおける頂部３６ｔよりも前記開口３６ｏ寄りの位置に設けられている。好適には、前記保持具１６と同様、前記被験者８の体の一部に対応する形状の複数の大きさに形成された複数種類の保持具３６から、前記被験者８の体の一部における体表の形状に合った保持具３６が選択され、後述するアーム部材３８等に取り付けられて用いられる。
【００３１】
前記保持具３６は、好適には、厚み方向に貫通する複数の孔部を備えたものである。図１２及び図１３は、複数の孔部を備えた保持具３６の構成の一例を示す図である。図１２は、保持具３６を上部側から視た平面図、図１３は、前記保持具３６を図１２に矢印XIIIで示す方向に視た側面図である。図１２及び図１３に示す構成において、前記カップ部３６ｃは、その厚み方向に貫通する複数の孔部３６ｈを備えている。この孔部３６ｈは、前記粘着層２０をも貫通して設けられている。すなわち、前記孔部３６ｈに対応する位置には、前記粘着層２０が設けられていない。換言すれば、前記保持具３６が前記被験者８の乳房８ｂ等に取り付けられた際、前記孔部３６ｈに対応する位置は、前記乳房８ｂ等の皮膚表面が露出させられるようになっている。前記孔部３６ｈは、好適には、少なくとも一般的な注射器の針や生検針を挿通できる程度の大きさに形成されており、例えば４〜５ｍｍφ以上の径寸法とされた円形状の孔部である。
【００３２】
図１４及び図１５は、複数の孔部を備えた保持具３６の構成の他の一例を示す図である。図１４は、保持具３６を上部側から視た平面図、図１５は、前記保持具３６を図１４に矢印XVで示す方向に視た側面図である。図１４及び図１５に示す構成では、前記カップ部３６ｃ全体が網目状に構成されている。すなわち、前記カップ部３６ｃが笊状に構成されている。前記網目における隙間３６ｇが、前記カップ部３６ｃを厚み方向に貫通する複数の孔部に相当する。前記隙間３６ｇに対応する位置には、前記粘着層２０が設けられていない。前記保持具３６が前記被験者８の乳房８ｂ等に取り付けられた際、前記隙間３６ｇに対応する位置においては、前記乳房８ｂ等の皮膚表面が露出させられるようになっている。前記隙間３６ｇは、好適には、少なくとも一般的な注射器の針や生検針を挿通できる程度の大きさに形成されており、例えば一辺４〜５ｍｍ以上とされた正方形の隙間である。図１４及び図１５に示す保持具３６は、好適には、前記取付部３６ｓ及び前記網目状とされたカップ部３６ｃが、公知の３Ｄプリンタ等により一体的に形成される。或いは、グラスファイバ、ポリエステル繊維、木綿等の繊維による布状の部材に硬化剤が含浸させられ、前記乳房８ｂ等の形状に合わせて硬化させられた前記カップ部３６ｃに、合成樹脂材料等により形成された前記取付部３６ｓが固着されて構成されるものであってもよい。
【００３３】
以上、図１２〜図１５を用いて、前記保持具３６が複数の孔部３６ｈを備えた構成及び網目状とされた構成について説明したが、図３及び図４を用いて前述した保持具１６或いは図５等を用いて前述した保持具２６が、厚み方向に貫通する複数の孔部を備えたものであってもよい。すなわち、前記保持具１６、２６は、図１２及び図１３を用いて前述した保持具３６と同様に、厚み方向に貫通する複数の孔部を備えたものであってもよい。前記保持具１６、２６は、図１４及び図１５を用いて前述した保持具３６と同様に、前記保持具１６、２６全体が網目状に構成されたものであってもよい。
【００３４】
図１６及び図１７は、前記保持具３６を備えた保持装置１０が被固定物としての前記寝台１２に取り付けられた様子を概略的に示す図である。図１６は、前記保持装置１０及び前記寝台１２を前記頭足方向すなわち図１６にｘ軸で示す方向に視た様子を示す側面図である。図１７は、前記寝台１２の一部及び前記保持装置１０を、図１６に矢印XVIIで示す方向に視た平面図である。図１６及び図１７においては、図９を用いて前述したアーム部材３２と同様に、一体的に形成され多関節構造を有しないアーム部材３８を備えた構成を例示しているが、前記保持具３６は、図２等を用いて前述したアーム部材１８のように多関節構造とされたアーム部材にも好適に取り付けられる。図１７に示すように、前記アーム部材３８における先端部３８ｐには、少なくとも前記保持具３６における取付部３６ｓが挿入できる幅寸法のスリット３８ｓが形成されている。前記先端部３８ｐには、その側方から前記スリット３８ｓまで貫通するねじ穴（めねじ）３８ｆが形成されている。図１７に示すように、前記取付部３６ｓが前記スリット３８ｓに挿入された状態で、前記ねじ穴３８ｆにおねじ４０が締結される。前記おねじ４０が締め着けられることで、前記スリット３８ｓにおける一方の内壁と前記おねじ４０の先端との間に前記取付部３６ｓが挟み込まれ、前記アーム部材３８に対して前記保持具３６が固定される。
【００３５】
前記アーム部材３８における基端部３８ｂには、固定具としてのフランジ部４２が設けられている。このフランジ部４２は、好適には、前記アーム部材３８と同一の部材として一体的に形成されたものである。図１６及び図１７に示すように、前記フランジ部４２に形成された図示しない貫通穴に挿通されたおねじ４４が前記寝台１２の取付部１２ｂにおけるねじ穴に締結されることにより、前記フランジ部４２が前記寝台１２に固定される。図１６及び図１７に示す構成の保持装置１０が、前述した図７に示すような態様により前記寝台１２に取り付けられるものであってもよい。すなわち、前記寝台１２に架橋部２２が取り付けられ、固定具としての前記フランジ部４２がその架橋部２２に固定されるものであってもよい。或いは、図１８、図１９を用いて以下に詳述するように、他の態様により前記寝台１２に取り付けられるものであってもよい。
【００３６】
図１８は、前記保持装置１０に備えられる固定具の他の態様を例示する図である。この図１８に示すように、前記保持装置１０は、前記フランジ部４２等の代替として、クリップ状の固定具４６を備えたものであってもよい。すなわち、図１８に示す構成においては、前記アーム部材３８の基端部３８ｂに、前記固定具４６が取り付けられている。この固定具４６は、第１部材４６ａ及び第２部材４６ｂを備えている。前記第１部材４６ａが前記アーム部材３８の基端部３８ｂに固定されている。前記第１部材４６ａ及び第２部材４６ｂは、回動軸４６ｃまわりの相対回動可能に設けられている。前記第１部材４６ａ及び第２部材４６ｂは、一方の端部において前記寝台１２等の被固定物を挟み込めるように構成されている。他方の端部において、前記第１部材４６ａと前記第２部材４６ｂとの間にスプリング４６ｓが設けられている。このように構成された固定具４６において、前記第１部材４６ａ及び第２部材４６ｂの間に被固定物が挟み込まれると、前記スプリング４６ｓの弾性により前記第１部材４６ａと前記第２部材４６ｂとの間で前記被固定物が把持され、前記固定具４６がその被固定物に固定される。図１８においては、前記アーム部材３８に前記固定具４６が取り付けられた構成を例示しているが、図２、図８等を用いて前述したアーム部材１８に前記固定具４６が取り付けられ、その固定具４６により被固定物に固定されるものであってもよい。
【００３７】
図１９は、前記保持装置１０に備えられる固定具の更に別の態様を例示する図である。この図１９に示すように、前記保持装置１０は、前記フランジ部４２等の代替として、万力状の固定具４８を備えたものであってもよい。すなわち、図１９に示す構成においては、前記アーム部材３８の基端部３８ｂに、前記固定具４８が取り付けられている。この固定具４８は、少なくとも被固定物を挿入できる寸法の口部４８ｏを備えた基部４８ｂと、おねじを主体として構成されるねじ部４８ｓとを、備えている。前記基部４８ｂには、下方（アーム部材３８が取り付けられた側とは逆側の端部）から前記口部４８ｏまで貫通するねじ穴（めねじ）４８ｆが形成されている。前記ねじ部４８ｓにおけるおねじが、前記ねじ穴４８ｆにねじ合わされている。図１９に示すように、前記寝台１２等の被固定物が前記口部４８ｏに挿入された状態で、前記ねじ穴４８ｆに対して前記ねじ部４８ｓにおけるおねじがねじ込まれることで、前記口部４８ｏにおける一方の内壁（上側の内壁）と前記ねじ部４８ｓの先端に設けられた受け部４８ｃとの間に前記被固定物が挟み込まれ、前記固定具４８がその被固定物に固定される。図１９においては、前記アーム部材３８に前記固定具４８が取り付けられた構成を例示しているが、図２、図８等を用いて前述したアーム部材１８に前記固定具４８が取り付けられ、その固定具４８により被固定物に固定されるものであってもよい。
【００３８】
図２０は、本実施例の保持装置１０の効果を説明するため、前記被験者８の体の一部に前記保持具１６、２６、３６（以下、保持具１６等という）が取り付けられた様子を概略的に示す断面図である。例えば、陽子線治療、重粒子線治療をはじめとする粒子線治療では、前記被験者８の体位を仰臥位、側臥位、腹臥位等の間で適宜変更する必要があることに加え、粒子線を照射する装置と前記被験者８の身体との相対位置関係が治療部位の決定に関わるため、その被験者８の身体を確実に保持（固定）することが求められる。特に、前記被験者８の乳房８ｂに対する粒子線治療では、粒子線の照射により前記乳房８ｂの近傍に位置する心臓、肺等の主要臓器に悪影響が出ないように、その乳房８ｂをそれら主要臓器から離す必要がある。前記乳房８ｂは重力の影響を受け易く、容易に形状が変形するため、治療の際は前記乳房８ｂの形状が変化しないように必要な体位での乳房形状を保持する必要がある。更に、粒子線治療等においては、時間を置いて行われる複数回の治療において、治療の対象となる乳房８ｂ等の部位を略同じ形状に保つことが要求される場合がある。本実施例の保持装置１０に備えられた前記保持具１６等は、図１〜図１９を用いて前述した構成を備えることにより、前記乳房８ｂ等の部位に取り付けられた状態において、図２０に示すように前記粘着層２０がその部位における皮膚表面に貼付く。このため、例えば前記乳房８ｂ等の部位から前記保持具１６等が一旦取り外され、再びその部位に取り付けられた際にも、その部位を前回と同様の形状で保持することができる。
【００３９】
図２１は、前記保持具１６等に複数の孔部が設けられた構成の効果を説明するため、前記被験者８の体の一部に前記保持具１６等が取り付けられた様子を概略的に示す断面図である。例えば、生体組織診断（バイオプシー）においては、患部における病変組織（細胞）を採取するために、その患部に注射器の針や生検針を打つ（挿入する）ことが求められる場合がある。放射線治療においても同様に、患部にマーカを注入するために、その患部に注射器の針や生検針を打つことが求められる場合がある。図１２〜図１５を用いて前述したように、前記保持具１６等に複数の孔部３６ｈ或いは孔部としての隙間３６ｇ（以下、孔部３６等という）が設けられた構成においては、図２１に示すように、前記患部としての前記被験者８の体の一部（乳房８ｂ等）に前記保持具１６等が取り付けられた状態において、前記孔部３６ｈ等から注射器５０の針５０ｎを挿入し、その針５０ｎを前記体の一部に打つことができる。従って、前記患部に前記保持具１６等が取り付けられた状態において、前記注射器５０によりその患部における病変組織を採取することが可能となる。前記患部に前記保持具１６等が取り付けられた状態において、前記注射器５０によりその患部に放射線治療のためのマーカを注入することが可能となる。特に、図１２〜図１５を用いて前述した保持具３６においては、前記カップ部３６ｃの側部に前記取付部３６ｓが設けられているため、例えばその保持具３６が前記乳房８ｂに取り付けられた状態において、乳頭の周辺を含む比較的広範囲に前記注射器５０の針５０ｎを挿入することが可能となる。
【００４０】
本実施例によれば、被験者８の体の一部における体表の形状に合わせて形成された曲面１６ａ、２６ａ、３６ａを備え、その曲面１６ａ、２６ａ、３６ａ側に前記被験者８の皮膚表面に対して粘着性を有する粘着層２０を備えた保持具１６、２６、３６と、一方の端部に前記保持具１６、２６、３６が取り付けられた長手状のアーム部材１８、３２、３８と、前記アーム部材１８、３２、３８における、前記保持具１６、２６、３６が取り付けられた側の端部とは逆側の端部に取り付けられた、前記アーム部材１８、３２、３８を被固定物としての寝台１２等に固定するための固定具１４、４６、４８或いは固定具としてのフランジ部４２とを、備えたものであることから、例えば乳房８ｂのように容易に変形する部位を対象とする治療においても、その部位に前記保持具１６、２６、３６を前記粘着層２０により貼り付けることで、前記部位を十分確実に保持できる。すなわち、被験者８の体の一部を十分確実に保持する保持装置１０を提供することができる。
【００４１】
前記保持具１６、２６、３６は、前記被験者８の少なくとも一方の乳房８ｂを含む体表の形状に合わせてカップ状に形成された前記曲面１６ａ、２６ａ、３６ａを備え、その曲面１６ａ、２６ａ、３６ａ側に前記粘着層２０を備えた乳房保持具であるため、被験者８の姿勢等に応じて重力により容易に変形する乳房８ｂを対象とする治療に際して、その乳房８ｂを十分確実に保持できる。
【００４２】
前記固定具１４、４６、４８或いは固定具としてのフランジ部４２は、前記被験者８が載せられる平板部１２ａを備えた寝台１２に固定されるものであるため、斯かる寝台１２に前記被験者８を載せた状態で行う治療に際して、その被験者８の体の一部を十分確実に保持できる。
【００４３】
前記アーム部材１８は、前記固定具１４に対する前記保持具１６、２６、３６の３次元方向の位置及び角度の少なくとも一方を調整できるものであるため、前記被固定物に対する前記保持具１６、２６、３６の位置及び角度を適宜定めることができる。
【００４４】
前記保持具１６、２６、３６は、厚み方向に貫通する複数の孔部３６ｈ或いは孔部としての隙間３６ｇを備えたものであるため、前記被験者８の体の一部に前記保持具１６、２６、３６を取り付けた状態で、例えば注射器５０等によりその部位における生体組織を採取したり、その部位に放射線治療のためのマーカを注入する等の処置を行うことができる。
【００４５】
前記保持具１６、３６は、前記アーム部材１８、３２、３８に対して着脱可能とされたものであり、前記体の一部に対応する形状の複数の大きさに形成された複数種類の保持具１６、３６から、前記被験者８の体の一部における体表の形状に合った保持具１６、３６が選択され、前記アーム部材１８、３２、３８に取り付けられて用いられるものであるため、前記被験者８の体の一部を十分確実に保持する、低コストで実用的な保持装置１０を提供することができる。
【００４６】
以上、本発明の好適な実施例を図面に基づいて詳細に説明したが、本発明はこれに限定されるものではなく、更に別の態様においても実施される。
【００４７】
例えば、前述の実施例では、図２に示すように多関節構造のアーム部材１８、関節を備えない一体形成のアーム部材３２、３８を例示したが、本発明の保持装置１０に備えられるアーム部材はこれに限定されるものではなく、別の態様のアーム部材が用いられるものであってもよい。例えば、図２においては、２箇所の関節を備えたアーム部材１８を例示したが、本発明のアーム部材は、１箇所の関節（単関節）或いは３箇所以上の関節を備えたものであってもよい。被固定物に対して前記保持具１６等の位置及び角度等を十分確実に固定できるのであれば、公知のフレキシブルアーム等が前記アーム部材１８等の代替として用いられるものであってもよい。前記固定具１４等が長手状に構成された部分を備え、その長手状に構成された部分が実質的にアーム部材の一部として機能するものであってもよい。例えば、前記固定具１４において長手状に構成された部分の先端に、関節を介してアーム部材が接続されたものであってもよい。図９を用いて前述したように、一体的に形成された前記保持具２６及びアーム部材３２等が、前記固定具１４において長手状に構成された部分の先端に、関節を介して接続された態様も考えられる。すなわち、本発明の保持装置は、前述の実施例において説明した保持具１６等、アーム部材１８等、及び固定具１４等に相当する構成を実質的（機能的）に備えたものであればよく、その詳しい形態については、前述した実施例における構成には限定されない。
【００４８】
前述の実施例では、前記固定具１４等が固定される被固定物として、前記被験者８が載せられる平板部１２ａを備えた寝台１２を例示したが、前記固定具１４等が固定される被固定物はこれに限定されるものではなく、種々の態様が考えられる。例えば、被固定物としての三脚等の台に前記固定具１４等が固定されるものであってもよい。前記被験者８に対して治療を行う医療用装置が設置された室の壁、或いは医療用装置そのものに前記固定具１４等が固定されるものであってもよい。
【００４９】
前述の実施例では、陽子線治療、重粒子線治療をはじめとする粒子線治療、生体組織診断、及び放射線治療に際して前記保持装置１０が用いられる場合の効果について詳しく説明したが、本発明の保持装置がこれらの用途に限定されるものでないことは言うまでもない。例えば、電子線、γ線治療等に際して治療の対象となる部位を保持する際にも、前記保持装置１０によりその部位を保持することで、本発明の効果が得られる。ＣＴ撮影、ＭＲＩ撮影等に際して治療の対象となる部位を保持する際にも、前記保持装置１０によりその部位を保持することで、本発明の効果が得られる。
【００５０】
前述の実施例では、前記被験者８の乳房８ｂを保持する保持装置１０について説明したが、本発明の保持装置による保持対象は、被験者８の乳房８ｂには限定されない。例えば、メラノーマ（悪性黒色腫）をはじめとする皮膚癌の治療に際して、被験者の体における皮膚癌が存在する皮膚を張り広げつつ（引っ張りつつ）その部位に対してＸ線等を照射することが考えられる。本発明の保持装置に備えられた保持具は、前記曲面側に被験者の皮膚表面に対して粘着性を有する粘着層を備えていることで、前記のように被験者の皮膚を張り広げる際にも好適に用いられ、その部位を十分確実に保持することができる。
【００５１】
その他、一々例示はしないが、本発明はその趣旨を逸脱しない範囲内において種々の変更が加えられて実施されるものである。
【符号の説明】
【００５２】
８：被験者、８ｂ：乳房（体の一部）、１０：保持装置、１２：寝台（被固定物）、１２ａ：平板部、１４、４６、４８：固定具、１６、２６、３６：保持具、１６ａ、２６ａ、３６ａ：曲面、１８、３２、３８：アーム部材、２０：粘着層、３６ｇ：隙間（孔部）、３６ｈ：孔部、４２：フランジ部（固定具）
【図１】
2016123666.tif 000003
【図２】
2016123666.tif 000004
【図３】
2016123666.tif 000005
【図４】
2016123666.tif 000006
【図５】
2016123666.tif 000007
【図６】
2016123666.tif 000008
【図７】
2016123666.tif 000009
【図８】
2016123666.tif 000010
【図９】
2016123666.tif 000011
【図１０】
2016123666.tif 000012
【図１１】
2016123666.tif 000013
【図１２】
2016123666.tif 000014
【図１３】
2016123666.tif 000015
【図１４】
2016123666.tif 000016
【図１５】
2016123666.tif 000017
【図１６】
2016123666.tif 000018
【図１７】
2016123666.tif 000019
【図１８】
2016123666.tif 000020
【図１９】
2016123666.tif 000021
【図２０】
2016123666.tif 000022
【図２１】
2016123666.tif 000023